【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
有機樹脂成分を含む樹脂組成物であって、
該樹脂組成物は、その分子量分布における分子量７００以上の有機樹脂成分を有機樹脂成分総量に対して１５〜９０質量％含み、かつ該分子量分布における分子量７００未満の有機樹脂成分を有機樹脂成分総量に対して１０〜８５質量％含んでなり、
該分子量７００以上の有機樹脂成分は、脂環式エポキシ化合物及び／又は水添エポキシ化合物を含むことを特徴とする樹脂組成物。
【請求項２】
前記分子量７００未満の有機樹脂成分は、脂環式エポキシ化合物及び／又は水添エポキシ化合物を含むことを特徴とする請求項１記載の樹脂組成物。
【請求項３】
前記樹脂組成物は、その分子量分布において、分子量７００未満の領域に少なくとも１つの分子量ピークの極大値を有し、かつ、分子量７００以上の領域に少なくとも１つの分子量ピークの極大値を有するものであることを特徴とする請求項１又は２に記載の樹脂組成物。
【請求項４】
前記樹脂組成物は、重量平均分子量が７００以上の有機樹脂成分を少なくとも１種、及び、重量平均分子量が７００未満の有機樹脂成分を少なくとも１種含んでなることを特徴とする請求項１〜３のいずれかに記載の樹脂組成物。
【請求項５】
前記樹脂組成物は、重量平均分子量が７００以上の有機樹脂成分の総量が、有機樹脂成分の総量に対して、１５〜９０質量％であることを特徴とする請求項４記載の樹脂組成物。
【請求項６】
前記樹脂組成物は、有機樹脂成分を４０〜９９質量％含むことを特徴とする請求項１〜５のいずれかに記載の樹脂組成物。
【請求項７】
前記樹脂組成物は、不飽和結合を有する化合物の割合が１０質量％以下であることを特徴とする請求項１〜６のいずれかに記載の樹脂組成物。
【請求項８】
前記樹脂組成物は、不飽和結合を有する化合物の割合が１０質量％を超えるものであることを特徴とする請求項１〜６のいずれかに記載の樹脂組成物。
【請求項９】
前記分子量７００未満の有機樹脂成分は、芳香族エポキシ化合物を含むことを特徴とする請求項１〜６、８のいずれかに記載の樹脂組成物。
【請求項１０】
前記芳香族エポキシ化合物は、７個以上の炭素原子から構成される共役構造を有する芳香族化合物を必須とすることを特徴とする請求項９に記載の樹脂組成物。
【請求項１１】
前記樹脂組成物は、２種以上の有機樹脂成分を溶媒５質量％以下に調製してなることを特徴とする請求項１〜１０のいずれかに記載の樹脂組成物。
【請求項１２】
前記樹脂組成物は、更に、該樹脂組成物１００質量％中、高沸点アルコールを０．０１〜１０質量％含むことを特徴とする請求項１〜１１のいずれかに記載の樹脂組成物。
【請求項１３】
前記高沸点アルコールは、沸点が１２０℃以上のアルコールであることを特徴とする請求項１２記載の樹脂組成物。
【請求項１４】
前記樹脂組成物は、更に、熱潜在性カチオン発生剤を含むことを特徴とする請求項１〜１３のいずれかに記載の樹脂組成物。
【請求項１５】
請求項１〜１４のいずれかに記載の樹脂組成物によって構成されることを特徴とする光学部材用硬化性材料。
【請求項１６】
前記光学部材用硬化性材料は、１５０℃で５分間硬化させたときの硬化物の曲げ強度が、５０ＭＰａ以上のものであることを特徴とする請求項１５記載の光学部材用硬化性材料。
【請求項１７】
請求項１５又は１６に記載の光学部材用硬化性材料を硬化させてなることを特徴とする光学部材。
【請求項１８】
前記光学部材は、高アッベ光学部材であることを特徴とする請求項１７記載の光学部材。
【請求項１９】
前記光学部材は、低アッベ光学部材であることを特徴とする請求項１７記載の光学部材。
【手続補正２】
【補正対象書類名】明細書
【補正対象項目名】００２２
【補正方法】変更
【補正の内容】
【００２２】
上記有機樹脂成分は、分子量が７００以上の有機樹脂成分を含むものである。有機樹脂成分がこのような分子量を有する有機樹脂を含むことにより、樹脂組成物を硬化させたときに、一体感のあるものとでき、剥離の際の強度が向上し、割れることがなく、好適な材料硬度とすることができる。
上記有機樹脂成分は、分子量が７００以上の有機樹脂の含有量を、有機樹脂成分１００質量％中、１５〜９０質量％含んでなるものである。分子量が７００以上の成分（有機樹脂）が有機樹脂成分中に１５質量％未満であると、樹脂組成物を硬化させたときの強度が充分ではないおそれがあり、また、９０質量％を超えると、成型のしやすさが充分ではなくなるおそれがある。分子量が７００以上の有機樹脂の含有量として好ましくは、３０〜９０質量％であり、より好ましくは、３５〜８０質量％であり、更に好ましくは、４０〜７０質量％である。
上記有機樹脂成分に必須として含まれる、分子量が７００以上の有機樹脂の分子量としては、７００〜１００００であることが好ましい。分子量が１００００を超えると、樹脂組成物の透明性が充分ではなくなるおそれがある。上記高分子量成分の分子量として、より好ましくは、１０００〜５０００であり、更に好ましくは、２０００〜４０００である。
上記高分子量成分のエポキシ当量としては、１３０〜５０００であることが好ましい。より好ましくは、１８０〜２５００であり、更に好ましくは、３５０〜２０００である。なお、「高分子量成分のエポキシ当量」は、高分子量成分の総質量をエポキシ基の数で割ることで求められる。上記分子量が７００以上の高分子量成分としては、例えば、脂環式エポキシ化合物、水添エポキシ化合物、芳香族エポキシ化合物等を好適に用いることができる。具体的には既に記述のＹＬ−７１７０、ＹＸ−８０３４、ＥＨＰＥ−３１５０等であるが、これらはそれ自体が、上記分子量７００以上の高分子量成分を１５質量％以上含むエポキシ化合物であるため、本発明の樹脂組成物における高分子成分の原料として好適に使用し得る。更に、ＹＬ−７１７０、ＥＨＰＥ−３１５０は、重量平均分子量が７００以上であり、高分子成分の原料として、好ましく採用し得る。
【手続補正３】
【補正対象書類名】明細書
【補正対象項目名】００２３
【補正方法】変更
【補正の内容】
【００２３】
上記有機樹脂成分は、分子量が７００未満の有機樹脂成分を含むものである。有機樹脂成分がこのような分子量を有する有機樹脂を含むことにより、低粘度の硬化性樹脂組成物とすることができ、硬化性樹脂組成物の成形性を向上させることができる。上記有機樹脂成分に必須として含まれる有機樹脂の分子量としては、１５０〜７００であることが好ましい。分子量が１５０未満であると、成型時の揮発による成形物のふくれを発生するおそれがある。
上記有機樹脂成分においては、分子量が７００未満の有機樹脂の含有量が、有機樹脂成分１００質量％中、１０〜７０質量％含んでなるものであることが好ましい。分子量が７００未満の成分（有機樹脂）が有機樹脂成分中に１０質量％未満であると、成型のしやすさが充分ではなくなるおそれがあり、また、７０質量％を超えると、樹脂組成物を硬化させたときの強度が充分ではないおそれがある。分子量が７００未満の有機樹脂の含有量として好ましくは、２０〜６５質量％であり、より好ましくは、３０〜６０質量％である。
上述した樹脂組成物における分子量７００未満の有機樹脂成分の原料としては、例えば、水添エポキシ化合物としてはＹＸ８０００、ＹＸ８０３４、脂環式エポキシ化合物としてはセロキサイド２０２１Ｐ、芳香族エポキシ化合物としてはオグソールＰＧ１００が好ましく例示される。
【手続補正４】
【補正対象書類名】明細書
【補正対象項目名】００２８
【補正方法】変更
【補正の内容】
【００２８】
上記硬化性樹脂組成物、該硬化性樹脂組成物を硬化してなる硬化物においては、不飽和結合量が１０質量％を超えるものであることが好ましい。これによれば、低アッベ数であり、かつ屈折率の高いことが要求される光学部材として好適に用いることができる。同様に、上記樹脂組成物についても、不飽和結合を有する化合物の割合が１０質量％を超えるものであることが好ましい。更に、低分子量成分としては、その少なくとも１つが炭素数が７個以上の共役構造を有する芳香族化合物であることが好ましい。上記７個以上の炭素原子から構成される共役構造とは、１つの共役単位を構成することになる原子団に属する炭素数が７個以上であるものである。共役単位は、共役二重結合を例に取れば、少なくとも２個の二重結合と１個の単結合を含むことになるが、本発明においては、共役し得る二重結合と単結合のすべてを含んだ構造単位を１つの共役単位として炭素数を数えることになり、当該単位を含む結合構造を示した場合に、共鳴に関わる部分の一まとまりを一つの共役単位という。従って、低アッベ光学部材としては、低分子量成分として水添及び／又は脂環式と芳香族エポキシ化合物（炭素数が７個以上の共役構造を含む）とを含み、高分子量成分として水添及び／又は脂環式を含む形態が好ましい。共役単位の好ましい形態は後述する。